(57)【特許請求の範囲】
【請求項１】
吹出グリルに形成された係合爪を前面パネルに形成された係合孔に係合させることにより吹出グリルが前面パネルに仮止めされ、浅底パン形状の底板、天板によってユニット胴体部を上下から挟み込むことにより、吹出グリルの上下の固定用片部が底板あるいは天板とユニット胴体部との間に挟まれ、吹出グリルの固定が行われる空気調和機の室外機ユニットにおいて、
各係合爪には、該係合爪を剪断することで吹出グリルの取り外しを可能にする爪折り用の薄肉部が形成されていることを特徴とする空気調和機の室外機ユニット。
【請求項２】
吹出グリルにグリル持ち上げ用の取手部が形成されていることを特徴とする請求項１に記載の空気調和機の室外機ユニット。
【発明の詳細な説明】
【０００１】
【発明の属する技術分野】
この発明は、空気調和機の室外機ユニットに関し、特に、室外機ユニットの吹出グリルの取付構造に関するものである。
【０００２】
【従来の技術】
従来の室外機ユニットとして、特開平０５−１３３５６３号公報に示されているものを図５〜図７を用いて説明する。この室外機ユニットは、底板２０と、左右の側板２１と、前面グリル２２と、天板２３とを有し、前面グリル２２の取り付けは、前面グリル２２に形成された突起部２４を側板２１に形成された切り欠き部２５に係合させ、この係合部分に天板２３を覆せることにより行われている。
【０００３】
【発明が解決しようとする課題】
上述のような組立構造の室外機ユニットを分解する際には、天板２３を外し、手作業で突起部２４を切り欠き部２５との係合より離脱させる必要がある。突起部２４と切り欠き部２５との係合部が天板近くにあれば、天板２３を外すことで、裏面側より突起部２４を押すなどして突起部２４を切り欠き部２５との係合より離脱させることができるが、突起部２４と切り欠き部２５との係合部が底板側にもあるような場合には、天板２３を外しても、その係合部の裏面側に近づくことができず、突起部２４を切り欠き部２５との係合より離脱させる作業が厄介なものになる。
【０００４】
このため、リサイクルのための廃棄解体時に、プラスチックス製の前面グリルと金属板製の側板とを分離する作業に時間がかかり、解体作業を効率よく行えず、資材リサイクルの促進の障害になる。
【０００５】
この発明は、上述の如き問題点を解消するためになされたもので、リサイクルのための前面グリル（吹出グリル）の分解作業性に優れた空気調和機の室外機ユニットを得ることを目的としている。
【０００６】
【課題を解決するための手段】
上記の目的を達成するために、この発明による空気調和機の室外機ユニットは、吹出グリルに形成された係合爪を前面パネルに形成された係合孔に係合させることにより吹出グリルが前面パネルに仮止めされ、浅底パン形状の底板、天板によってユニット胴体部を上下から挟み込むことにより、吹出グリルの上下の固定用片部が底板あるいは天板とユニット胴体部との間に挟まれ、吹出グリルの固定が行われる空気調和機の室外機ユニットにおいて、各係合爪には、該係合爪を剪断することで吹出グリルの取り外しを可能にする爪折り用の薄肉部が形成されているものである。
【０００８】
つぎの発明による空気調和機の室外機ユニットは、吹出グリルにグリル持ち上げ用の取手部が形成されているものである。
【０００９】
【発明の実施の形態】
以下に添付の図を参照して、この発明にかかる空気調和機の室外機ユニットの実施の形態を詳細に説明する。
【００１０】
実施の形態１．
図１、図２はこの発明による空気調和機の室外機ユニットの実施の形態１を示している。これらの図において、１は底板、２は左右の側面パネル、３は前面パネル、４は背面パネル、５は天板、６は前側の吹出グリルである。底板１、側面パネル２、前面パネル３、背面パネル４、天板５は金属板により構成され、吹出グリル６はプラスチックスにより構成されている。
【００１１】
底板１と天板５は、縁部に折曲片部１ａ、５ａを有する浅底パン形状をなしており、左右の側面パネル２と前面パネル３と背面パネル４とによるユニット胴体部を上下から挟み込む構成になっている。前面パネル３には吹出グリル装着用の段差部７が設けられており、段差部７にはファン８のための開口９が設けられている。
【００１２】
吹出グリル６の下縁部には底板１の折曲片部１ａと前面パネル３との間に挟まれる下部固定用片部１０が一体成形され、また、吹出グリル６の上縁部には天板５の折曲片部５ａと前面パネル３との間に挟まれる上部固定用片部１１が一体成形されている。
【００１３】
吹出グリル６の裏面側には上下左右４箇所に掛かりの浅い係合爪１２が一体成形されおり、前面パネル３の段差部７の上下左右４箇所には各係合爪１２を差し込まれる係合孔１３が形成されている。
【００１４】
吹出グリル６には各係合爪１２に隣接する部位に工具挿入用貫通孔１４が形成されており、また段差部７には係合孔１３の拡張孔として工具挿入用貫通孔１４と整合する部位に工具差し込み孔１５が形成されている。
【００１５】
上述のように構成された室外機ユニットの組立は、吹出グリル６を前面パネル３の段差部７にあてがい、各係合爪１２を係合孔１３に差し込み、仮止めを行う。この仮止め状態で、底板１と天板５をそれぞれ組み付け、それぞれねじ１６によってねじ止めする。これにより、吹出グリル６の下部固定用片部１０が底板１の折曲片部１ａと前面パネル３との間に挟まれ、上部固定用片部１１が天板５の折曲片部５ａと前面パネル３との間に挟まれ、吹出グリル６が固定される。
【００１６】
室外機ユニットの廃却時に、樹脂製の吹出グリル６をリサイクルするために取り外す場合には、底板１と天板５のねじ１６を外し、天板５を外した後、天板側の工具挿入用貫通孔１４より工具差し込み孔１５へドライバ１７のような工具あるいは棒を差し込み、こじるようにして天板側の係合爪１２を押し、係合爪１２を係合孔１３との係合より離脱させる。つぎに、底板１を外し、底板側の工具挿入用貫通孔１４より工具差し込み孔１５へドライバ１７のような工具あるいは棒を同様に差し込み、こじるようにして底板側の係合爪１２を押し、係合爪１２を係合孔１３との係合より離脱させる。
【００１７】
これにより、大きい力を必要とすることなく各係合爪１２の係合が外され、吹出グリル６が簡単に取り外され、室外機ユニットの解体作業の効率化が図られる。
【００１８】
実施の形態２．
図３、図４はこの発明による空気調和機の室外機ユニットの実施の形態２を示している。なお、図３、図４において、図１、図２に対応する部分は、図１、図２に付した符号と同一の符号を付けて、その説明を省略する。
【００１９】
この実施の形態では、各係合爪１２に爪折り用の薄肉部１８が形成されている。また、吹出グリル６にはグリル持ち上げ用の取手凹部１９が左右に形成されている。
【００２０】
この実施の形態では、室外機ユニットの廃却時に、樹脂製の吹出グリル６をリサイクルするために取り外す場合には、天板５のねじ１６を外し、天板５を外した後、左右の取手凹部１９にそれぞれ手を入れ、吹出グリル６を略垂直方向に持ち上げる。これにより、各係合爪１２に剪断力が作用し、各係合爪１２が薄肉部１８で折れ、下部固定用片部１０が底板１の折曲片部１ａと前面パネル３との間より抜けだし、吹出グリル６が取り外される。
【００２１】
これにより、天板５を外して吹出グリル６を引き上げるだけで、大きい力を必要とすることなく各係合爪１２が折れて吹出グリル６が簡単に取り外され、室外機ユニットの解体作業の効率化が図られる。
【００２２】
【発明の効果】
以上の説明から理解される如く、この発明による空気調和機の室外機ユニットによれば、各係合爪に爪折り用の薄肉部が形成されているから、室外機ユニットの廃却時に、樹脂製の吹出グリルをリサイクルするために取り外す場合には、吹出グリルを持ち上げるなどして係合爪に剪断力を与えることにより、係合爪が薄肉部で折れ、これによって吹出グリルが簡単に取り外され、室外機ユニットの解体作業の効率化が図られる。
【００２４】
つぎの発明による空気調和機の室外機ユニットは、吹出グリルにグリル持ち上げ用の取手部が形成されているから、取手部に手を入れて吹出グリルを簡単に持ち上げることができ、室外機ユニットの解体作業の効率化が図られる。
【図面の簡単な説明】
【図１】  この発明による空気調和機の室外機ユニットの実施の形態１を示す斜視図である。
【図２】  この発明による空気調和機の室外機ユニットの実施の形態１を示す断面図である。
【図３】  この発明による空気調和機の室外機ユニットの実施の形態２を示す斜視図である。
【図４】  この発明による空気調和機の室外機ユニットの実施の形態２の係合爪を拡大して示す斜視図である。
【図５】  従来における空気調和機の室外機ユニットを示す斜視図である。
【図６】  従来における空気調和機の室外機ユニットの係合爪の係合部を拡大して示す斜視図である。
【図７】  従来における空気調和機の室外機ユニットを示す側面図である。
【符号の説明】
１  底板、２  側面パネル、３  前面パネル、４  背面パネル、５  天板、６吹出グリル、７  段差部、８  ファン、９  開口、１０  下部固定用片部、１１上部固定用片部、１２  係合爪、１３  係合孔、１４  工具挿入用貫通孔、１５  工具差し込み孔、１６  ねじ、１７  ドライバ、１８  薄肉部、１９  取手凹部。
【図１】
0004255560.tif 000002
【図２】
0004255560.tif 000003
【図３】
0004255560.tif 000004
【図４】
0004255560.tif 000005
【図５】
0004255560.tif 000006
【図６】
0004255560.tif 000007
【図７】
0004255560.tif 000008